(57)【特許請求の範囲】
【請求項１】
化粧料が収納される収納凹部が形成された容器本体と、この容器本体を開閉できるように該容器本体に取付けられた蓋と、この蓋の内壁面に貼着固定された鏡とからなるコンパクト容器において、前記鏡が固定される蓋の内壁面の鏡面取付部に水が入り込む溝を形成するとともに、鏡を水に溶ける性質を持った水溶性両面粘着テープを用いて前記鏡面取付部に固定したことを特徴とするコンパクト容器。
【発明の詳細な説明】
【０００１】
【発明の属する技術分野】
本発明はコンパクト容器に関する。
【０００２】
【従来の技術】
従来のコンパクト容器は蓋の内壁面に接着剤あるいは両面テープを用いて鏡を固定している。
【０００３】
【発明が解決しようとする課題】
従来のコンパクト容器はリサイクルする場合、蓋の内壁面に接着剤を用いて鏡を固定しているため、蓋と鏡に分離することが難しく、手数がかかり、コスト高になるという欠点があった。
【０００４】
本発明は以上のような従来の欠点に鑑み、蓋と鏡との分離を損傷させることなく、容易で楽な作業で、安価に行なうことができるコンパクト容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は化粧料が収納される収納凹部が形成された容器本体と、この容器本体を開閉できるように該容器本体に取付けられた蓋と、この蓋の内壁面に貼着固定された鏡とからなるコンパクト容器において、前記鏡が固定される蓋の内壁面の鏡面取付部に水が入り込む溝を形成するとともに、鏡を水に溶ける性質を持った水溶性両面粘着テープを用いて前記鏡面取付部に固定してコンパクト容器を構成している。
【０００７】
【発明の実施の形態】
以下、図面に示す実施の形態により、本発明を詳細に説明する。
【０００８】
図１ないし図３に示す本発明の第１の実施の形態において、１はファンデーション等の化粧料やパフ等を収納することができる収納凹部２、２が形成された容器本体で、この容器本体１は合成樹脂材で形成され、前部ほぼ中央部に合成樹脂材製の係合解除部材３が回動可能に取付けられている。
【０００９】
４は前記容器本体１の収納凹部２、２を開閉可能に覆う蓋で、この蓋４は合成樹脂材で形成され、後端部が前記容器本体１の後端部に枢支ピン５で回動可能に枢支されている。
【００１０】
６は前記蓋４の内壁面に形成された鏡収納凹部７内に水に溶ける性質を持った水溶性両面粘着テープ８を用いて固定された鏡である。
【００１１】
前記水溶性両面粘着テープ８は市販されている、水に溶ける紙９（特公昭４８−２７６０５号等によって製造された紙）の両面に感圧接着剤やホットメルト接着剤等の接着剤１０が塗布されたものが使用される。
【００１２】
上記構成のコンパクト容器１１は蓋４の鏡収納凹部７内に位置ズレ状態で鏡６を固定したり、リサイクルのために蓋４と鏡６とを分離する場合、鏡６が固定されている蓋４を水に漬けておくことにより、水溶性両面粘着テープ８が水によって溶け、鏡６と蓋４とが分離される。
【００１３】
【発明の異なる実施の形態】
次に、図４ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図４ないし図９に示す本発明の第２の実施の形態において、前記本発明の第１の実施の形態と主に異なる点は、鏡収納凹部７内に複数本、本発明の実施の形態では２本の図６に示すような台形状の溝１２、１２を形成した蓋４Ａを用いた点で、このように形成した蓋４Ａを用いたコンパクト容器１１Ａにすることにより、水溶性両面粘着テープ８に溝１２、１２より水を効率よく供給できるため、短時間に水溶性両面粘着テープ８を溶かすことができる。
なお、鏡収納凹部７に図７に示すような凸形状の溝１２Ａ、１２Ａ、図８に示すような半円弧形状の溝１２Ｂ、１２Ｂや、図９に示すような長方形状の溝１２Ｃ、１２Ｃを形成してもよい。
【００１５】
図１０ないし図１３に示す本発明の第３の実施の形態において、前記本発明の第１の実施の形態と主に異なる点は、鏡収納凹部７内に図１０に示すような水溶性両面粘着テープ８の幅寸法内に位置する３本の横溝１２Ｄ、１２Ｄ、１２Ｄと、３本の縦溝１２Ｅ、１２Ｅ、１２Ｅとを形成した蓋４Ｂを用いた点で、このように形成した蓋４Ｂを用いたコンパクト容器１１Ｂにすることにより、横溝１２Ｄ、１２Ｄ、１２Ｄや縦溝１２Ｅ、１２Ｅ、１２Ｅより水を水溶性両面粘着テープ８に供給でき、短時間に水溶性両面粘着テープ８を溶かすことができる。
なお、図１３に示すように２本の横溝１２Ｄ、１２Ｄと、複数個の菱形形状が接続される溝１２Ｆを鏡収納凹部７に形成してもよい。
【００１６】
【発明の効果】
以上の説明から明らかなように、本発明にあっては次に列挙する効果が得られる。
【００１７】
（１）化粧料が収納される収納凹部が形成された容器本体と、この容器本体を開閉できるように該容器本体に取付けられた蓋と、この蓋の内壁面に貼着固定された鏡とからなるコンパクト容器において、前記鏡が固定される蓋の内壁面の鏡面取付部に水が入り込む溝を形成するとともに、鏡を水に溶ける性質を持った水溶性両面粘着テープを用いて前記鏡面取付部に固定したので、鏡を正確な位置に固定できなかったり、リサイクルする場合、蓋あるいは容器全体を水に漬けることにより、鏡を蓋に固定している水溶性両面粘着テープが水によって溶け、鏡と蓋を分離することができる。
したがって、容易で楽に鏡と蓋とを分離できるので、再利用や材質ごとの分離を簡単に安価に行なうことができる。
【００１８】
（２）前記（１）によって、従来の接着剤に代え、水溶性両面粘着テープを用いるだけであるので、容易に実施することができる。
【００１９】
（３）前記（１）によって、水に漬けるだけでよいので、蓋や鏡を損傷することなく分離できる。
したがって、再利用を効率よく行なうことができる。
【００２０】
（４）前記（１）と同様な効果が得られるとともに、溝によって効率よく水溶性両面粘着テープを水によって溶かすことができる。
【図面の簡単な説明】
【図１】本発明の第１の実施の形態の分解斜視図。
【図２】本発明の第１の実施の形態の閉蓋状態の一部破断側面図。
【図３】図２の要部拡大図。
【図４】本発明の第２の実施の形態の鏡を分離した状態の斜視図。
【図５】本発明の第２の実施の形態の閉蓋状態の一部破断側面図。
【図６】鏡収納凹部の説明図。
【図７】鏡収納凹部の異なる説明図。
【図８】鏡収納凹部の異なる説明図。
【図９】鏡収納凹部の異なる説明図。
【図１０】本発明の第３の実施の形態の鏡を分離した状態の斜視図。
【図１１】本発明の第３の実施の形態の閉蓋状態の一部破断側面図。
【図１２】本発明の第３の実施の形態の鏡の取付け状態を示す説明図。
【図１３】鏡収納凹部の異なる説明図。
【符号の説明】
１：容器本体、          ２：収納凹部、
３：係合解除部材、      ４、４Ａ、４Ｂ：蓋、
５：枢支ピン、          ６：鏡、
７：鏡収納凹部、        ８：水溶性両面粘着テープ、
９：水に溶ける紙、      １０：接着剤、
１１、１１Ａ、１１Ｂ：コンパクト容器、
１２、１２Ａ、１２Ｂ、１２Ｃ、１２Ｄ、１２Ｅ、１２Ｆ：溝。
【図１】
0003597363.tif 000002
【図２】
0003597363.tif 000003
【図３】
0003597363.tif 000004
【図４】
0003597363.tif 000005
【図５】
0003597363.tif 000006
【図６】
0003597363.tif 000007
【図７】
0003597363.tif 000008
【図８】
0003597363.tif 000009
【図９】
0003597363.tif 000010
【図１０】
0003597363.tif 000011
【図１１】
0003597363.tif 000012
【図１２】
0003597363.tif 000013
【図１３】
0003597363.tif 000014